(57)【要約】【課題】搬送が容易で必要なときに必要な場所に設置することが可能で、一時的にもしくは定期的に適宜開閉できる遮断装置を実現することである。【解決手段】本発明は、一側壁に開口が備えられている箱体に送風機が装着され、前記箱体の内部には前記送風機の排気口を包囲するように伸縮自在な袋状の遮断機が装着されており、前記送風機を作動させて前記遮断機内に空気が供給されると、箱体の開口から実質的に水平方向に伸延して緊張態様を維持し、前記送風機の作動を停止させると、前記遮断機内部の空気圧が低下して緊張態様が緩和されるように構成されている伸縮自在な遮断装置である。【選択図】図８
2009138509.tif 000002
【特許請求の範囲】
【請求項１】
通路を定期的もしくは一時的に閉鎖するための遮断装置であって、基台に支持され一側壁に開口が備えられている箱体の他側内壁に送風機が装着され、前記箱体の内部には前記送風機の排気口を包囲するように伸縮自在な袋状の遮断機が装着されており、前記送風機を作動させて前記遮断機内に空気が供給されると、前記遮断機内部の空気圧が上昇して前記箱体の開口から実質的に水平方向に伸延して緊張態様を維持し通路を閉鎖状態とし、前記送風機の作動を停止させると、前記遮断機内部の空気圧が低下して緊張態様が緩和されて閉鎖状態が解除されるように構成されている伸縮自在な遮断装置。
【請求項２】
遮断機の緊張態様が緩和されている状態で前記遮断機を箱体に収納するように構成されている請求項１記載の遮断装置。
【請求項３】
遮断機の底辺に沿って水切片が設けられている請求項１もしくは請求項２記載の伸縮自在な遮断装置。
【請求項４】
箱体の開口には開閉自在な扉が装着されている請求項１ないし請求項３のいずれかに記載の伸縮自在な遮断装置。
【請求項５】
送風機の近傍に発光器が装着されている請求項１ないし請求項４のいずれかに記載の伸縮自在な遮断装置。
【請求項６】
遮断機は緊張状態でも撓むように構成されている請求項１ないし請求項５のいずれかに記載の伸縮自在な遮断装置。
【請求項７】
箱体に線材巻取手段が設けられ、線材の一端が前記巻取手段に固着されており、前記線材の他端が遮断機の突出先端部近傍内部に固着されている請求項１ないし請求項６のいずれかに記載の伸縮自在な遮断装置。
【請求項８】
線材巻取手段が線材を巻き取ることによって、遮断機の突出端部が内側から箱体内部に牽引され、収納される請求項７記載の伸縮自在な遮断装置。
【請求項９】
遮断機内に、その伸延方向に沿って、一部に透孔が開設されている複数の線材支持片が装着され、線材は前記透孔に挿通されている請求項７もしくは請求項８記載の伸縮自在な遮断装置。
【請求項１０】
箱体に線材が挿通する貫通孔が開設され、前記箱体の外側壁に線材巻取手段が装着されている請求項７ないし請求項９のいずれかに記載の伸縮自在な遮断装置。
【請求項１１】
線材は遮断機内部の相対向する側壁に少なくとも２本装着されている請求項７ないし請求項１０のいずれかに記載の伸縮自在な遮断装置。
【請求項１２】
送風機は無線装置によって動作するように構成されている請求項１ないし請求項１１に記載の伸縮自在な遮断装置。
【請求項１３】
遮断機にはファスナーが装着され、当該ファスナーを開放することによって遮断機の内部の空気を迅速に排出するように構成されている請求項１ないし請求項１２に記載の伸縮自在な遮断装置。
【発明の詳細な説明】
【技術分野】
【０００１】  本発明は、道路などの通路を定期的もしくは一時的に閉鎖するためのものであって、特に収納時には軽量小型となる遮断装置に関するものである。
【背景技術】
【０００２】  従来より、遮断装置としては列車の踏切に設置されているものや、有料道路の料金所に設置されているものが周知である。【０００３】  また、遮断装置ではないが伸縮自在な注意喚起装置も知られている。【０００４】  前述のような遮断装置は一般的に特定の位置に固定的に設置されているものであるが、土砂崩れなどの自然災害によって道路が破損し、通行が不可能もしくは危険となる状態になった場合、前記道路の破損位置の手前で自動車等の通行を遮断する必要が生じる。【０００５】  道路の破損位置の手前で自動車等の通行を遮断する必要が生じた場合、現場に作業者を派遣して人為的に前記遮断作業を行うことになる。【０００６】  例えば特許文献に記載のように、注意喚起装置を設置することも考えられるが、やはりこの装置は注意を喚起するも道路を遮断することはできない。【０００７】
【特許文献】実用新案第２５９４６６６号
【発明の開示】
【発明が解決しようとする課題】
【０００８】  前述のように従来の遮断装置では、必要なときに必要な場所に設置することは出来なかったが、一次的または定期的に適宜開閉できる遮断装置が期待されていたが実現されていなかったが、本発明は係る課題を解決せんとするものである。
【課題を解決するための手段】
【０００９】  第１の発明は、通路を定期的もしくは一時的に閉鎖するための遮断装置であって、基台に支持され一側壁に開口が備えられている箱体の他側内壁に送風機が装着され、前記箱体の内部には前記送風機の排気口を包囲するように伸縮自在な袋状の遮断機が装着され、前記送風機を作動させて前記遮断機内に空気が供給されると、前記遮断機内部の空気圧が上昇して前記箱体の開口から実質的に水平方向に伸延して緊張態様を維持し通路を閉鎖状態とし、前記送風機の作動を停止させると、前記遮断機内部の空気圧が低下して緊張態様が緩和されて閉鎖状態が解除されるように構成されている伸縮自在な遮断装置である。【００１０】  本発明では、道路などの通行を遮断する必要が生じた際には、送風機を作動させて遮断機内に空気を供給し、そうすると前記遮断機内部の空気圧が上昇して前記箱体の開口から実質的に水平方向に伸延して緊張態様を維持し通路を閉鎖する状態となる。【００１１】  また、通路を開放する際には、前記送風機の作動を停止させると、前記遮断機内部の空気圧が低下して緊張態様が緩和されて閉鎖状態が解除され、通路の閉鎖状態が解除されることになる。【００１２】  第２の発明は、第１の発明を前提とし、遮断機の緊張態様が緩和されている状態で前記遮断機を箱体に収納するように構成されている伸縮自在な遮断装置である。【００１３】  本発明では、通路の閉鎖状態が解除された際に、緊張態様が緩和されている状態の遮断機を折畳んで箱体内に収納することが可能となる。【００１４】  第３の発明は、第１もしくは第２の発明を前提とし、遮断機の底辺に沿って水切片が設けられている伸縮自在な遮断装置である。【００１５】  本発明では、遮断機の底辺に沿って水切片が設けられているので、降雨などによって遮断機が濡れた際にも付着した水滴は前記水切片に沿って容易に滴下して遮断機から離脱するので、当該遮断機が重くなり下方に曲がることはない。【００１６】  第４の発明は、第１ないし第３のいずれかの発明を前提とし、箱体の開口には開閉自在な扉が装着されている伸縮自在な遮断装置である。【００１７】  本発明では、箱体の開口に開閉自在な扉が装着されているので、通路の閉鎖状態が解除され、緊張態様が緩和されている状態の遮断機を折畳んで箱体内に収納後、前記開口を閉蓋することができるので適切に管理することが可能となる。【００１８】  第５の発明は、第１ないし第４のいずれかの発明を前提とし、送風機の近傍に発光器が装着されている伸縮自在な遮断装置。【００１９】  本発明では、遮断機が透明もしくは半透明な素材で形成されていると、発光器を発光させることによって、夜間でも延伸した遮断機を容易に視認することができる。【００２０】  第６の発明は、第１ないし第５のいずれかの発明を前提とし、遮断機は緊張状態でも撓むように構成されている伸縮自在な遮断装置である。【００２１】  本発明では、遮断機は緊張状態でも撓むように構成されているので、災害発生時に道路を閉鎖しても、復旧や救助のための自動車などを通過させる必要があるが、その都度遮断機を伸縮させずとも前記自動車が前記遮断機を撓ませて通過させることができるので、緊急事態に迅速に対応することが出来る。【００２２】  ��７の発明は、第１ないし第５のいずれかの発明を前提とし、箱体に線材巻取手段が設けられ、線材の一端が前記巻取手段に固着されており、前記線材の他端が遮断機の突出先端部近傍内部に固着されている伸縮自在な遮断装置である。【００２３】  本発明では、線材の一端が巻取手段に固着されており、前記線材の他端が遮断機の突出先端部近傍内部に固着されているので、前記巻取手段が前記線材を巻き取ると遮断機の突出先端部は内側からは固体方向に牽引されることになる。【００２４】  第８の発明は、第７の発明を前提とし、線材巻取手段が線材を巻き取ることによって、遮断機の突出端部が内側から箱体内部に牽引され収納される伸縮自在な遮断装置である。【００２５】  本発明では、線材巻取手段が線材を巻き取ることによって遮断機の突出端部が内側から箱体の方向に牽引され、当該箱体内部に収納されることになる。【００２６】  第９の発明は、第７もしくは第８の発明を前提とし、遮断機内に、その伸延方向に沿って、一部に透孔が開設されている複数の線材支持片が装着され、線材は前記透孔に挿通されている伸縮自在な遮断装置である。【００２７】  本発明では、一部に透孔が開設されている線材支持片が遮断機内に複数個装着され、線材は前記透孔に挿通されているので、線材巻取手段が動作すると当該線材は前記線材支持片に支持された状態で巻き取られることになる。【００２８】  第１０の発明は、第７ないし第９のいずれかの発明を前提とし、箱体に線材が挿通する貫通孔が開設され、前記箱体の外側壁に線材巻取手段が装着されている伸縮自在な遮断装置である。【００２９】  本発明では、箱体に線材が挿通する貫通孔が開設され、前記箱体の外側壁に線材巻取手段が装着されているので、必要な際に箱体に線材巻取手段を装着することができる。なおコスト等の関係で線材巻取手段の装着を省略してもよい。【００３０】  第１１の発明は、第７ないし第１０のいずれかの発明を前提とし、線材は遮断機内部の相対向する側壁に少なくとも２本装着されている伸縮自在な遮断装置である。【００３１】  本発明では、線材は遮断機内部の相対向する側壁に少なくとも２本装着されているので線材巻取手段を動作させると相対抗する側壁が同期して牽引され収縮することになる。【００３２】  第１２の発明は、第１ないし第１１のいずれかの発明を前提とし、送風機は無線装置によって動作するように構成されている伸縮自在な遮断装置である。【００３３】  本発明では、送風機は無線装置によって動作するように構成されているので、無人でも必要なときに伸縮自在な遮断装置を伸縮動作させることができる。災害時には遮断装置の動作に緊急を要することがあるが、かかる場合人も無線装置を動作させることによって迅速に対応することが可能となる。【００３４】  第１３の発明は、第１ないし第１２のいずれかの発明を前提とし、遮断機にはファスナーが装着され、当該ファスナーを開放することによって遮断機の内部の空気を迅速に排出するように構成されている伸縮自在な遮断装置であり、本発明では、ファスナーを開放することによって遮断機の内部の空気を迅速に大量に排出することができるので、遮断機を迅速に収縮させることができる。
【発明の効果】
【００３５】  本発明に係る伸縮自在な遮断装置においては、道路などの通行を遮断する必要が生じた際には、送風機を作動させて遮断機内に空気を供給し、そうすると前記遮断機内部の空気圧が上昇して前記箱体の開口から実質的に水平方向に伸延して緊張態様を維持し通路を閉鎖し、通路を開放する際には、前記送風機の作動を停止させると、前記遮断機内部の空気圧が低下して緊張態様が緩和されて閉鎖状態が解除され、通路の閉鎖状態が解除されることになり、従来の遮断装置の設置が不適当な所にも容易に設置でき、また遮断機を折畳むことによって容易に搬送することができる
【発明を実施するための最良の形態】
【００３６】  図面はいずれも各種の実施の形態を示すもので、図１は本発明の第１の実施例の遮断機が収納された状態の正面図、図２は本発明の第１の実施例の遮断機が完全に伸延された状態の正面図、図３は本発明の第１の実施例の遮断機が伸延された状態の右側面図そして図４は本発明の第１の実施例の遮断機が伸延された状態の左側面図である。【００３７】  図５は第２の実施例の遮断機が収納された状態の部分斜視図、図６は第２の実施例の遮断機が若干伸延された状態の部分断面図、図７は第２の実施例の遮断機が若干伸延された状態の部分斜視図そして図８は第２の実施例の遮断機が完全に伸延された状態の部分断面図である。【００３８】  図９は第３の実施例の遮断機が完全に伸延された状態の正面図である。【００３９】  図１０は第２の実施例の線材支持片を示す部分拡大断面図である。【００４０】  なお、各実施例に共通の部位には同一の符号が付されている。【００４１】  これらの図において、１は基台６の上端に固定されている箱体で、右側面に開口２が開設されており、左側内壁に送風機３が装着されると共に当該送風機３に吸気孔に対応する部位に円形の通風孔が開設されている。【００４２】  箱体１の内部には前記送風機３の排気口を包囲するように伸縮自在な半透明の袋状の遮断機４が装着されており、前記送風機３を作動させて前記遮断機４内に空気が供給されると（図６矢印Ａ参照）、前記遮断機４内部の空気圧が上昇して前記箱体１の開口２から実質的に水平方向に伸延して緊張態様を維持し、道路等の通路５を閉鎖状態にする（図２、図９参照）。【００４３】  前記遮断機４の伸延状態の水平方向の長さは３ｍないし４ｍである。【００４４】  次いで、前記送風機３の作動を停止させると、前記遮断機４内部の空気圧が低下して緊張態様が緩和されるので、当該を折畳んで前記箱体１に開口２から収納すると通路５の閉鎖状態が解除される（図１、図５参照）。【００４５】  従って、災害などが発生し、所定の位置の通路５の通行を遮断する必要が生じた場合には、遮断装置を所定の位置に設置し、送風機３を作動させて遮断機４内に空気を供給すると、前記遮断機内部の空気圧が上昇して前記箱体の開口から実質的に水平方向に伸延して緊張態様を維持し通路５を閉鎖する状態となる。【００４６】  また、通路を開放する際には、前述のように前記送風機３の作動を停止させると、前記遮断機４内部の空気圧が低下して緊張態様が緩和されて閉鎖状態が解除され、通路５の閉鎖状態が解除されることになる。【００４７】  前記遮断機４の底辺に沿って水平方向に鋸状の水切片７が設けられており、降雨などによって遮断機４が濡れた際にも、表面に付着した水滴は前記水切片７に沿って容易に滴下して遮断機４から離脱するので、当該遮断機４が伸延状態にあっても水滴による重量の増加が原因となって下方に曲がることはない。【００４８】  なお、図示はしていないが、箱体１の開口２には開閉自在な扉が装着されていて、通路５の閉鎖状態が解除され、収縮状態の遮断機４を折畳んで箱体１内に収納後、前記開口２を閉蓋すると遮断装置を適切に管理することが可能となる。【００４９】  また、送風機３の近傍に発光器８が装着されており（図６、図８参照）、遮��機４が半透明な素材で形成されているので、発光器８を点滅もしくは常時点灯させることによって夜間でも延伸した遮断機４を容易に視認することができる。【００５０】  更に、遮断機４の素材はポリエステルなどのしなやかな素材で形成されており、緊張状態でもある程度の力によって撓むように構成されている。【００５１】  従って、災害発生時に道路５を閉鎖しても、復旧や救助のための自動車などを通過させる場合、その都度遮断機を伸縮させずとも前記自動車が前記遮断機４を撓ませて通過することができるので、緊急事態に迅速に対応することが出来る。【００５２】  図５ないし図８において、箱体１の、前記開口２の反対側の外側壁に、遮断機４を前記箱体１内に畳み込み収納するための線材巻取装置９が装着されており、当該線材巻取装置９上下に１対のプーリ１０が回転自在に装着されている。【００５３】  そして、線材としての直径１ｍｍのポリエステル撚線１１の一端が前記巻取装置９に固着されており、前記ポリエステル撚線１１の他端が遮断機４の突出先端部近傍内部に固着されている（図８参照）。【００５４】  従って、前記送風機３を動作させると、図６に示すように、遮断機４内に空気が供給され当該遮断機４を前記ポリエステル撚線１１を前記前記巻取装置９から繰り出しつつ膨張し延伸するが、当該ポリエステル撚線１１が前記巻取装置９から繰り出されると前記巻取装置９が反時計方向に回転し（図６参照）、その際の抵抗によって遮断機４は下方に落下することなく徐々に水平方向に延伸する（図５ないし図７参照）。【００５５】  また、前記送風機３を動作を停止させ、前記巻取装置９が時計方向に回転すると、前記ポリエステル撚線１１が巻取装置９に巻き取られ、遮断機４はその突出先端部の内側から箱体１内に牽引され（図８参照））、前記箱体１内に収納される。【００５６】  前記遮断機４の内部の上縁と下縁にはその延伸方向に沿って複数の線材支持片１２が等間隔（１０ｃｍ）で装着されており（図６、図８、図１０参照）、当該線材支持片１２には一部に透孔１３が開設され、前記ポリエステル撚線１１は前記透孔１３に挿通されている。【００５７】  従って、前記巻取装置９がポリエステル撚線１１を巻き取る方向に回転動作すると、当該ポリエステル撚線１１は前記線材支持片１２に支持された状態で巻き取られることになる。【００５８】  なお、前記箱体１の左側壁には前記ポリエステル撚線１１が相通する貫通孔が穿設されている。１４は下側が開口１５されたカバー（図８参照）である。【００５９】  前述のように、ポリエステル撚線１１は遮断機４内部の相対向する側壁（上下）に２本装着されているので、線材巻取装置９を動作させると相対抗する側壁が同期して牽引され収縮することになる。【００６０】  図示はしていないが、送風機９や巻取装置９が無線装置によって動作するように構成されていると、無人でも必要なときに遮断装置を伸縮動作させることができる。災害時には遮断装置の動作に緊急を要することがあるが、かかる場合も無線装置を動作させることによって迅速に対応することが可能となり、その際に誤って進入する車両があった場合でも遮断機４が撓むように構成されているため、車両の破損ならびに乗員の負傷等���回避することが可能な構造となっている。【００６１】  更にこれも図示はしていないが遮断機４の底部にはファスナーが装着され、当該ファスナーを開放することによって遮断機４の内部の空気を大量に短時間で排出するように構成されている。【００６２】  図９は２個１対の遮断装置が道路５を挟んで固定的に対向配備されているもので、いずれもガードレール１６の外側に設置されている。
【図面の簡単な説明】
【００６３】
【図１】  本発明の第１の実施例の遮断機が収納された状態の正面図である。
【図２】  本発明の第１の実施例の遮断機が完全に伸延された状態の正面図である。
【図３】  本発明の第１の実施例の遮断機が伸延された状態の右側面図である。
【図４】  本発明の第１の実施例の遮断機が伸延された状態の左側面図である。
【図５】  本発明の第２の実施例の遮断機が収納された状態の部分斜視図である。
【図６】  本発明の第２の実施例の遮断機が若干伸延された状態の部分断面図である。
【図７】  本発明の第２の実施例の遮断機が若干伸延された状態の部分斜視図である。
【図８】  本発明の第２の実施例の遮断機が完全に伸延された状態の部分断面図である。
【図９】  本発明の第３の実施例の遮断機が完全に伸延された状態の正面図である。
【図１０】  本発明の第２の実施例の線材支持片を示す部分拡大断面図である。
【符号の説明】
【００６４】  １  箱体
２  開口
３  送風機
４  遮断機
５  通路（道路）
６  基台
７  水切片
８  発光器
９  線材巻取装置
１０  プーリ
１１  ポリエステル撚線
１２  線材支持片
１３  透孔
１４  カバー
１５  開口
１６  ガードレール
【図１】
2009138509.tif 000003
【図２】
2009138509.tif 000004
【図３】
2009138509.tif 000005
【図４】
2009138509.tif 000006
【図５】
2009138509.tif 000007
【図７】
2009138509.tif 000008
【図６】
2009138509.tif 000009
【図９】
2009138509.tif 000010
【図８】
2009138509.tif 000011
【図１０】
2009138509.tif 000012